(57)【要約】【課題】衝撃対策が行われた光ピックアップ支持装置を提供する。【解決手段】光ピックアップ支持装置１０は、第１ガイド軸１４および第２ガイド軸１６と、両ガイド軸により移動可能な状態で支持された光ピックアップ装置３０と、スレッドモータ４０により駆動されるリードスクリュー３８と、光ピックアップ装置３０に取り付けられてリードスクリュー３８に接触するギアラック１８とを備えている。そして、ギアラック１８の両端部には、衝撃エネルギーを吸収するための第１緩和部２４と第２緩和部２６が設けられている。【選択図】図２
2013206478.tif 000002
【特許請求の範囲】
【請求項１】
シャーシと、
光記録媒体にレーザー光を放射し、前記光記録媒体で反射した前記レーザー光を検出する光ピックアップ装置と、
前記光ピックアップ装置を所定方向にガイドするガイド軸と、
スレッドモーターにより回転され、周縁に螺旋状のガイド溝が設けられたリードスクリューと、
前記光ピックアップ装置に装着されて前記リードスクリューのガイド溝に接触する接触駆動部と、を備え、
前記シャーシに設けられた当接部に接触して衝撃エネルギーを吸収する緩和部を、前記接触駆動部の一部として設けることを特徴とする光ピックアップ支持装置。
【請求項２】
前記緩和部は、前記当接部に接触する第１緩和部分と、前記第１緩和部分と離間して配置された第２緩和部分とを有することを特徴とする請求項１に記載の光ピックアップ支持装置。
【請求項３】
前記緩和部は、前記光ピックアップ装置が移動する一方向側の前記接触駆動部の端部に設けられた第１緩和部と、前記一方向に対向する他方向側の前記接触駆動部の端部に設けられた第２緩和部と、を有することを特徴とする請求項１または請求項２に記載の光ピックアップ支持装置。
【請求項４】
前記緩和部は、前記光ピックアップ装置に固定される固定部の端部に設けられ、
前記緩和部が設けられる前記固定部の端部である固定端部は、前記固定部の他の部分よりも薄く形成されることを特徴とする請求項１から請求項３の何れかに記載の光ピックアップ支持装置。
【請求項５】
前記第１緩和部分と前記第２緩和部分とが離間する距離は、前記第１緩和部分が弾性限界で変形した際の変形量の半分以下に設定されることを特徴とする請求項２から請求項４の何れかに記載の光ピックアップ支持装置。
【請求項６】
前記緩和部が前記当接部に衝突した際に、前記第１緩和部分と前記第２緩和部分とは共に弾性限度内で変形することを特徴とする請求項２から請求項５の何れかに記載の光ピックアップ支持装置。
【請求項７】
前記第１緩和部が突出する方向と、前記第２緩和部が突出する方向とは直交することを特徴とする請求項３から請求項６の何れかに記載の光ピックアップ支持装置。
【請求項８】
請求項１から請求項７の何れかに記載された光ピックアップ支持装置を備えたことを特徴とする光ディスク装置。
【発明の詳細な説明】
【技術分野】
【０００１】
本発明は、光ディスクの読み出し動作や記録動作を行う光ピックアップ装置を所定方向に移動させる光ピックアップ支持装置およびそれを備えた光ディスク装置に関する。
【背景技術】
【０００２】
光ピックアップ装置から照射されるレーザー光を光ディスクの信号記録層に照射することによって、信号の読み出し動作や信号の記録動作を行うことが出来る光ディスク装置が普及している。
【０００３】
光ディスク装置としては、ＣＤやＤＶＤ規格の光ディスクを使用するものが一般に普及しているが、最近では記録密度を更に向上させたＢｌｕ−ｒａｙ規格と呼ばれる光ディスクを使用するものが開発されている。
【０００４】
光ディスク装置に組み込まれる光ピックアップ装置は、モータの回転駆動力によって光ディスクの半径方向へ移動されるように構成されている。
【０００５】
光ピックアップ装置は、光ディスクの信号を正確に読み出す必要があるため、光ディスクの半径方向へ精度良く移動する必要があり、一般には一対のガイド軸によってガイドされている（特許文献１）。また、光ピックアップをガイドするガイド軸の両端部は、金属板や樹脂材料から成る枠状のシャーシに固定されている（特許文献２）。
【先行技術文献】
【特許文献】
【０００６】
【特許文献１】特開平１１−６６７６７号公報
【特許文献２】特開２００３−２０８７６７号公報
【発明の概要】
【発明が解決しようとする課題】
【０００７】
しかしながら、光ディスク装置が不測の事態で落下した際、この落下による衝撃エネルギーに対する対策が充分でないと、光ディスク装置に内蔵される光ピックアップ装置が衝撃エネルギーにより破損する場合があった。
【０００８】
光ディスク装置の落下衝撃に対する耐性を評価するために、落下衝撃試験が行われる。この落下衝撃試験で、光ディスクに落下衝撃を与えると、光ディスク装置の内部で、リードスクリューの溝に噛み合わせられたギアラックが衝撃エネルギーにより外れ、光ピックアップ装置がシャーシに衝突する。この際に光ピックアップ装置に作用する衝撃エネルギーは、例えば１０００Ｇを超える。このような大きな衝撃エネルギーが光ピックアップ装置に作用すると、光ピックアップ装置を構成する光学部品やハウジングが破損してしまい、強度不足と判定されてしまう場合があった。
【０００９】
本発明は、このような大きな衝撃エネルギーを緩和して光ピックアップ装置を保護する構造を実現するものである。
【課題を解決するための手段】
【００１０】
本発明の光ピックアップ支持装置は、シャーシと、光記録媒体にレーザー光を放射し、前記光記録媒体で反射した前記レーザー光を検出する光ピックアップ装置と、前記光ピックアップ装置を所定方向にガイドするガイド軸と、スレッドモーターにより回転され、周縁に螺旋状のガイド溝が設けられたリードスクリューと、前記光ピックアップ装置に装着されて前記リードスクリューのガイド溝に接触する接触駆動部と、を備え、前記シャーシに設けられた当接部に接触して衝撃エネルギーを吸収する緩和部を、前記接触駆動部の一部として設けることを特徴とする。
【００１１】
更に、本発明の光ディスク装置は、上記構成の光ピックアップ支持装置を備えたことを特徴とする。
【発明の効果】
【００１２】
本発明では、光ピックアップ装置に装着されてリードスクリューに接触する接触駆動部に緩和部を設けた。これにより、上記した落下衝撃が光ディスク装置に作用して、接触駆動部がリードスクリューから外れてシャーシに衝突したとしても、接触駆動部の一部から成る緩和部がシャーシの当接部に衝突して湾曲することにより、この衝突による衝撃エネルギーは吸収される。この結果、光ピックアップ装置に作用する衝撃エネルギーが小さくなり、光ピックアップ装置の破損が防止される。
【００１３】
また、この緩和部は、離間された複数の緩和部分からなるので、要求される仕様に応じて緩和部分の寸法や離間距離を調整することができる。
【００１４】
更に、上記した緩和部は、光ピックアップ装置を駆動させる接触駆動部の一部として設けられるので、専用の部品を追加すること無く衝撃対策を施すことができる。
【図面の簡単な説明】
【００１５】
【図１】本発明の光ピックアップ支持装置を示す図であり、（Ａ）は光ピックアップ装置の対物レンズが露出する面を上方に向けた状態を示す斜視図であり、（Ｂ）は（Ａ）の状態を表裏逆転した光ピックアップ支持装置を示す斜視図である。
【図２】本発明の光ピックアップ支持装置を部分的に示す斜視図である。
【図３】本発明の光ピックアップ支持装置を示す図であり、（Ａ）は光ピックアップ装置を部分的に示す斜視図であり、（Ｂ）はギアラック（接触駆動部）を抜き出して示す斜視図である。
【図４】本発明の光ピックアップ支持装置を示す図であり、（Ａ）はギアラックの第１緩和部を示す図であり、（Ｂ）および（Ｃ）はギアラックの第１緩和部がシャーシの当接部に衝突する状況を示す図である。
【図５】本発明の光ピックアップ支持装置を示す図であり、ギアラックの第２緩和部を示す図である。
【発明を実施するための形態】
【００１６】
図１を参照して、本形態の光ピックアップ支持装置１０の構成を説明する。図１（Ａ）は光ピックアップ装置３０の対物レンズ３２が上方を向く状態で載置された光ピックアップ支持装置１０を示す斜視図であり、図１（Ｂ）は、図１（Ａ）の光ピックアップ支持装置１０を表裏逆転した状態を示す斜視図である。本形態では、Ｄｔ、Ｄｒ、Ｄｆの各方向を用いて説明する。Ｄｔ方向はタンジェンシャル方向、Ｄｒ方向はラジアル方向、Ｄｆ方向はフォーカス方向であり、これらの各方向は互いに直交している。
【００１７】
図１（Ａ）を参照して、光ピックアップ支持装置１０は、シャーシ１２と、シャーシ１２に両端が固定された第１ガイド軸１４および第２ガイド軸１６と、両ガイド軸により移動可能な状態で支持された光ピックアップ装置３０と、シャーシ１２に固定されたターンテーブル６２とを備えている。
【００１８】
光ピックアップ装置３０は、ターンテーブル６２に固定されて回転する光ディスク（光記録媒体）に対して、対物レンズ３２からレーザー光を照射する。そして、光ディスクの情報記録層で反射したレーザー光は、前記対物レンズ３２を介して、光ピックアップ装置３０に内蔵されたＰＤＩＣにより読み取られる。
【００１９】
光ピックアップ装置３０から放射されるレーザー光としては、ＢＤ（Ｂｌｕ−ｒａｙ  Ｄｉｓｃ）、ＤＶＤ（Ｄｉｇｉｔａｌ  Ｖｅｒｓａｔｉｌｅ  Ｄｉｓｋ）またはＣＤ（Ｃｏｍｐａｃｔ  Ｄｉｓｋ）規格のレーザー光が採用される。同様に、ターンテーブル６２に装着される光ディスクも、いずれかの規格が採用される。
【００２０】
光ピックアップ装置３０は、樹脂材料や金属材料を所定形状に成形したハウジングと、このハウジングに内蔵された発光チップ、受光チップその他の光学素子から構成されている。図１（Ａ）を参照して、光ピックアップ装置３０の＋Ｄｔ側の端部に設けた挿通部１１に第１ガイド軸１４が挿通され、−Ｄｔ側の端部に設けた係合部１３に第２ガイド軸１６が係合されている。これにより、光ピックアップ装置３０は、Ｄｒ方向に対して移動可能な状態で、両ガイド軸により保持されている。また、図１（Ｂ）を参照して、光ピックアップ装置３０の＋Ｄｔ側の側面にはギアラック１８が備えられており、このギアラック１８がリードスクリュー３８のガイド溝に接触することにより、リードスクリュー３８の回転に伴い光ピックアップ装置３０がＤｒ方向に動く。
【００２１】
シャーシ１２は、中央が開口された額縁状の形状を呈し、射出成形された樹脂材料または、プレス加工や曲折加工された金属板から成る。シャーシ１２は、第１ガイド軸１４、第２ガイド軸１６およびターンテーブル６２等を一体的に支持する機能を有する。
【００２２】
第１ガイド軸１４および第２ガイド軸１６は、光ピックアップ装置３０を光ディスクの半径方向に対して移動可能な状態で支持する部材である。第１ガイド軸１４および第２ガイド軸１６は、光ディスクの半径方向（Ｄｒ方向）に対して平面視で並行に配置されると共に、光ディスクの情報記録層に対しても並行に配置される。第１ガイド軸１４および第２ガイド軸１６は、棒状の金属材料から成り、これらの両端部はネジ等の固定手段を用いてシャーシ１２に固定される。
【００２３】
ターンテーブル６２は、光ディスクが固定される部位であり、このターンテーブル６２の裏側に設置されたモータにより回転する。図１（Ｂ）を参照して、ターンテーブル６２は、所定形状に加工された金属板から成るモータ支持部材１９を介して、シャーシ１２に固定されている。
【００２４】
図２を参照して、第１ガイド軸１４、第２ガイド軸１６およびリードスクリュー３８は互いに平行に配置されている。また、リードスクリュー３８の表面には螺旋状にガイド溝が形成されており、スレッドモータ４０の駆動力によりリードスクリュー３８は回転する。
【００２５】
光ピックアップ装置３０が有するハウジングの＋Ｄｔ側の側面には、ネジ等の締結手段を介して、ギアラック１８が固定されている。ギアラック１８には、リードスクリュー３８のガイド溝に接触する接触部２２が設けられている。ギアラック１８の接触部２２がリードスクリュー３８のガイド溝に押し付けられた状態で、スレッドモータ４０の駆動力でリードスクリュー３８が回転することにより、光ピックアップ装置３０がＤｒ方向に移動する。
【００２６】
本形態に於いてギアラック１８は、上記した光ピックアップ装置３０を移動させる作用だけでは無く、光ピックアップ装置３０に加わる衝撃エネルギーを緩和する作用も有する。この緩和する作用は、ギアラック１８の−Ｄｒ側の端部に設けた第１緩和部２４と、＋Ｄｒ側の端部に設けた第２緩和部２６により実現される。具体的には、光ディスク装置に落下衝撃が作用した際に、第１緩和部２４または第２緩和部２６が、シャーシの所定部位に衝突して弾性限度内で変形することで衝撃エネルギーが吸収され、これにより光ピックアップ装置３０に作用する衝撃エネルギーが小さくなる。また、衝撃が作用した際に第１緩和部２４および第２緩和部２６が湾曲することを可能とするために、これらの部位は光ピックアップ装置３０のハウジングの側壁から離間している。
【００２７】
図３を参照して、上記したギアラック１８の構成を詳述する。図３（Ａ）はギアラック１８付近の光ピックアップ装置を部分的に示す斜視図であり、図３（Ｂ）はギアラック１８のみを示す斜視図である。
【００２８】
図３（Ａ）を参照して、上記したギアラック１８の第１緩和部２４に対応して、シャーシ１２の当接部４２が設けられており、ギアラック１８が−Ｄｒ方向に移動し続けると、第１緩和部２４が当接部４２に接触して停止する。また、ギアラック１８の第２緩和部２６に対応して、シャーシ１２の当接部４４が設けられており、ギアラック１８が＋Ｄｒ方向に移動し続けると、第２緩和部２６が当接部４４に接触して停止する。
【００２９】
当接部４２は、金属板から成るシャーシ１２の端部を、例えば直角に曲折加工した部位であり、＋Ｄｒ方向を向く当接部４２の側面は、ギアラック１８の第１緩和部２４と接触する。同様に、当接部４４もシャーシ１２を曲折加工して成形された部位であり、ギアラック１８の第２緩和部２６と接触する側面を−Ｄｒ方向に有する。
【００３０】
図３（Ｂ）を参照して、ギアラック１８は、光ピックアップ装置のハウジングに固定される固定部２０と、固定部２０の−Ｄｒ側の端部に設けられた第１緩和部２４と、固定部２０の＋Ｄｒ側の端部に設けられた第２緩和部２６と、固定部２０の中間部からから−Ｄｔ方向に設けられた接触部２２とを有する。
【００３１】
固定部２０は、光ピックアップ装置のハウジングの側面に固定される部位であり、Ｄｒ方向に沿って細長く形成されている。固定部２０の＋Ｄｔ側の側面は、装着されるハウジングの側面形状に沿った形状を呈している。
【００３２】
第１緩和部２４は、固定部２０の−Ｄｒ側の端部から、＋Ｄｔ方向に細長く延在し、図３（Ａ）に示す当接部４２と接触する平坦面を−Ｄｒ側に有する。第１緩和部２４は、第１緩和部分２４Ａと第２緩和部分２４Ｂとから成る。第１緩和部２４が、複数の緩和部分から成ることで、第１緩和部２４が図３（Ａ）に示す当接部４２に衝突して変形した際に、第１緩和部２４の変形量を弾性限度内としつつ、衝撃エネルギーを充分に吸収するこことができる。この事項については図４を参照して詳述する。
【００３３】
第２緩和部２６は、固定部２０の＋Ｄｒ側の端部から＋Ｄｆ方向に細長く延びる部位であり、＋Ｄｒ方向側の面が、図３（Ａ）に示す当接部４４と接触する。第１緩和部２４と同様に、第２緩和部２６も複数の緩和部分から成り、具体的には第１緩和部分２６Ａと第２緩和部分２６Ｂから成る。
【００３４】
本形態では、ポリアセタール等のエンジニアリングプラスチックから成るギアラック１８の一部を、衝撃エネルギーを吸収する第１緩和部２４および第２緩和部２６としている。ポリアセタールは、耐疲労性、クリープ特性、耐衝撃性、耐摩耗性に優れる材料である。しかしながら、ポリアセタールから成るギアラック１８の一部を、衝撃を緩和する緩和部とした場合であっても、何ら対策を施さなければ、これらの部位は大きな衝撃エネルギーを吸収する程の耐衝撃特性は備えていない。
【００３５】
そこで本形態では、第１緩和部２４および第２緩和部２６を複数の緩和部分から構成している。これにより、ポリアセタールから成る第１緩和部２４および第２緩和部２６の破壊を防止しつつ衝撃エネルギーを吸収し、光ピックアップ装置を衝撃エネルギーから保護している。
【００３６】
図４を参照して、第１緩和部２４により衝撃エネルギーが緩和される点について詳述する。図４（Ａ）は第１緩和部２４の構成を示す図であり、図４（Ｂ）は第１緩和部２４が当接部４２に衝突した瞬間の状態を示す図であり、図４（Ｃ）はその後に第１緩和部分２４Ａおよび第２緩和部分２４Ｂが湾曲した状態を示す図である。
【００３７】
図４（Ａ）を参照して、第１緩和部２４は、ギアラック１８の下端部（−Ｄｒ側）で、＋Ｄｔ方向に細長く伸びる第１緩和部分２４Ａと、第１緩和部分２４Ａから離間して＋Ｄｔ方向に細長く伸びる第２緩和部分２４Ｂとから構成されている。
【００３８】
第１緩和部分２４Ａは、ギアラック１８が当接部４２に衝突した際に、当接部４２に接触する部位であり、−Ｄｒ側の側面は当接部４２の側面に接触可能な面となっている。この第１緩和部分２４Ａが当接部４２に衝突して弾性限度内で湾曲することにより、衝撃エネルギーが吸収される。
【００３９】
第２緩和部分２４Ｂは、湾曲した第１緩和部分２４Ａに押されることで、第１緩和部分２４Ａと同時に弾性限度内で変形し、第１緩和部分２４Ａと共に衝撃エネルギーを吸収する作用を有している。
【００４０】
第１緩和部分２４Ａと第２緩和部分２４Ｂとは役割が異なる。
【００４１】
第１緩和部分２４Ａは、ギアラック１８が当接部４２に衝突した際、当接部４２に接触して変形することにより、衝撃エネルギーを吸収する部位である。第１緩和部２４に作用する衝撃エネルギーが小さい場合は、第１緩和部分２４Ａのみが弾性限度内で変形することで衝撃エネルギーを吸収し、第２緩和部分２４Ｂは変形しない。
【００４２】
一方、第２緩和部分２４Ｂは、第１緩和部分２４Ａのみでは衝撃エネルギーが充分に吸収されない場合に、第１緩和部分２４Ａに押されて変形する。具体的には、衝撃エネルギーにより湾曲する第１緩和部分２４Ａが第２緩和部分２４Ｂに当たり、第２緩和部分２４Ｂが第１緩和部分２４Ａと共に弾性限度内で変形することで、両者により衝撃エネルギーが充分に吸収される。
【００４３】
図４（Ａ）を参照して、上記した第１緩和部分２４Ａおよび第２緩和部分２４Ｂのサイズを説明する。Ｌ１は第２緩和部分２４ＢのＤｒ方向に於ける厚みであり、Ｌ２は第１緩和部分２４Ａと第２緩和部分２４Ｂとが離間する距離であり、Ｌ３は第１緩和部分２４Ａの厚みであり、Ｌ４は、ギアラック１８の固定部２０の＋Ｄｔ側の端部から当接部４２の左端部までの距離であり、Ｌ５は固定部２０のＤｔ方向に於ける幅である。これらの寸法は、ユーザー側が要求する仕様等により変更されるが、衝撃が作用した際に両者が弾性限度内で変形することで衝撃エネルギーが緩和されるような程度に設定される。
【００４４】
第１緩和部２４の各部位の大きさ（Ｌ１−Ｌ５）は次の手法により決定される。
【００４５】
先ず、落下衝撃試験の条件、光ピックアップ装置の重量等から、試験時に光ピックアップ装置に作用する衝撃エネルギーの値を算出する。
【００４６】
次に、第１緩和部分２４Ａの幅Ｌ３および固定部２０から当接部４２までの距離Ｌ４を所定の範囲内で変化させて、第１緩和部分２４Ａで受けられる衝撃エネルギーの限界を算出し、距離Ｌ３と距離Ｌ４を決定する。ここで、距離Ｌ４が短いと第１緩和部分２４Ａの弾性力が小さくなるので、距離Ｌ４は可能な限り長くする。
【００４７】
第１緩和部分２４Ａと第２緩和部分２４Ｂとが離間する距離Ｌ２は、第１緩和部分２４Ａの弾性限度と衝突エネルギーを考慮して決定される。一例として、距離Ｌ２は、第１緩和部分２４Ａが弾性限界で変形した際のＤｒ方向の変位量の半分以下に設定される。この条件により、第１緩和部分２４Ａの破壊が防止され、更に、第１緩和部分２４Ａと第２緩和部分２４Ｂとが接触した後は、第１緩和部分２４Ａおよび第２緩和部分２４Ｂが弾性限度内で変形することにより、高い衝撃エネルギーが吸収される。
【００４８】
第２緩和部分２４Ｂの厚さＬ１は、第１緩和部分２４Ａが湾曲して第２緩和部分２４Ｂに接触した際に、第１緩和部分２４Ａを支持しつつ弾性限度内で変形することで、第１緩和部分２４Ａの変形を弾性限度内とする程度に設定される。具体的な第２緩和部分２４Ｂの厚さＬ１は、第１緩和部分の厚さＬ３と同じでも良いし、異なる厚さでも良い。第２緩和部分２４Ｂの厚みＬ１を、第１緩和部分２４Ａの厚みＬ３よりも厚くすると、第１緩和部分２４Ａを第２緩和部分２４Ｂで保護すると同時に、第２緩和部分２４Ｂが変形することで高い衝撃エネルギーを受けることが可能となる。
【００４９】
固定部２０の幅Ｌ５は、第１緩和部分２４Ａと第２緩和部分２４Ｂが衝撃エネルギーを受けた際に、変形やダメージが生じない幅以上に設定される。
【００５０】
図４（Ｂ）および図４（Ｃ）を参照して、ギアラック１８が当接部４２に衝突した際に、第１緩和部分２４Ａおよび第２緩和部分２４Ｂが湾曲することで衝撃エネルギーを吸収する現象を説明する。
【００５１】
図４（Ｂ）を参照して、先ず、光ディスク装置のフロント側に大きな衝撃エネルギーが作用すると、光ピックアップ装置と共にギアラック１８が−Ｄｒ方向に落下する。そして、ギアラック１８の第１緩和部２４がシャーシ１２の当接部４２に衝突する。
【００５２】
この際、先ず、第１緩和部分２４Ａが＋Ｄｒ方向に湾曲する。第１緩和部分２４Ａが弾性限度内で湾曲することにより衝撃エネルギーが吸収され、光ピックアップ装置に伝達する衝撃エネルギーが緩和される。上記したように、第１緩和部分２４Ａと第２緩和部分２４Ｂとは離間しているので、ギアラック１８が当接部４２に衝突した瞬間に於いては、第１緩和部分２４Ａのみが湾曲し、第２緩和部分２４Ｂは湾曲しない。ここで、作用している衝撃エネルギーが小さい場合は、第１緩和部分２４Ａのみが変形することで衝撃エネルギーが充分に吸収され、第２緩和部分２４Ｂは変形しない。
【００５３】
図４（Ｃ）を参照して、上記衝突により発生した衝撃エネルギーが大きく、第１緩和部分２４Ａが更に湾曲すると、第１緩和部分２４Ａが第２緩和部分２４Ｂを押し、第１緩和部分２４Ａおよび第２緩和部分２４Ｂが湾曲する。第１緩和部分２４Ａおよび第２緩和部分２４Ｂが弾性限度内で湾曲することにより、高い衝撃エネルギーが吸収されることになり、光ピックアップ装置に作用する衝撃エネルギーが緩和される。また、第２緩和部分２４Ｂが第１緩和部分２４Ａを支持することで、第１緩和部分２４Ａの過度の変形が抑制され、第１緩和部分２４Ａの変形量Ｌ６が弾性限度内となり、第１緩和部分２４Ａの塑性変形や破壊が防止される。
【００５４】
上記した衝突に伴う、第１緩和部分２４Ａおよび第２緩和部分２４Ｂの変形量（Ｌ６、Ｌ７）は、弾性限度内のものであるので、衝撃エネルギーが作用した後は図４（Ａ）に示す元の形状が復元される。従って、上記した衝撃エネルギーが複数回作用した場合であっても、第１緩和部２４により衝撃エネルギーが吸収され、光ピックアップ装置の破損は防止される。
【００５５】
図５を参照して、ギアラック１８の他の端部に設けられる第２緩和部２６の構成を説明する。ここでは、ギアラック１８が有する固定部２０の＋Ｄｒ側の端部に第２緩和部２６が設けられ、衝突時には、この第２緩和部２６がシャーシ１２の当接部４４に接触し、第２緩和部２６が弾性限度内で変形することにより衝撃エネルギーが吸収され、光ピックアップ装置が衝撃エネルギーから保護される。
【００５６】
この図で、Ｌ１１は第２緩和部分２６Ｂの幅を示し、Ｌ１２は第１緩和部分２６Ａと第２緩和部分２６Ｂとの距離を示し、Ｌ１３は第１緩和部分２６Ａの幅を示し、Ｌ１４は固定端部２１から当接部４４までの長さを示し、Ｌ１５は固定端部２１の幅を示し、Ｌ１６は固定部２０の幅を示し、Ｌ１７は固定端部２１の長さを示している。
【００５７】
第２緩和部２６の形状を示すＬ１１〜Ｌ１５を決定する方法は、図４を参照して上記した第１緩和部２４のＬ１〜Ｌ５の場合と同様である。また、第２緩和部２６が変形することで衝撃エネルギーを吸収する動作原理も、上記した第１緩和部２４の場合と同様である。
【００５８】
ここで、固定部２０の＋Ｄｒ側の端部に設けられた固定端部２１の幅Ｌ１５は、固定部２０の中間部分の幅Ｌ１６よりも短く設定される。この様に肉薄な固定端部２１を設けることで、第２緩和部２６が当接部４４に衝突した際に、第２緩和部２６および固定端部２１の両者が弾性限度内で変形し、衝撃エネルギーが吸収される効果が大きくなる。
【００５９】
固定端部２１の幅Ｌ１５および長さＬ１７は、第２緩和部２６が当接部４４に衝突した際に、固定端部２１が弾性変形限度内で変形可能な程度とされる。これにより、固定端部２１が弾性限度内で変形することによって衝撃エネルギーが吸収され、光ピックアップ装置を衝撃エネルギーから保護する効果が大きくなる。
【００６０】
更に、固定端部２１の上端部は、固定部２０の中間部の上端部よりも上方に配置されている。これにより、固定端部２１から当接部４４までの距離Ｌ１４を長く確保でき、第２緩和部２６の弾性力が大きくなる。
【００６１】
以上が本形態に係る光ピックアップ支持装置の説明であり、係る構成の光ピックアップ支持装置１０が所定形状の筐体に収納されることで、光ディスク装置が構成される。
【００６２】
ここで、上記した本形態は、以下のように変更することも可能である。
【００６３】
図１（Ｂ）を参照して、モータ支持部材１９の内側の端部を曲折した部位を、図３（Ａ）に示した当接部４２として用いることも可能である。
【００６４】
図３（Ａ）を参照して、光ピックアップ支持装置１０の出荷時に於いて、ギアラック１８の第１緩和部２４または第２緩和部２６は、当接部４２または当接部４４に接触した状態でも良い。
【００６５】
図３（Ａ）を参照して、シャーシ１２に固定されたネジの頭部を当接部４２、４４の替りに用い、このネジの頭部がギアラック１８の第１緩和部２４および第２緩和部２６と接触するようにしても良い。
【００６６】
図３（Ａ）を参照して、当接部４２、４４の側面とシャーシ１２の主面とが成す角の角度は直角以外でも良い。例えば、当接部４２、４４の側面は、シャーシ１２の主面に対して傾斜する傾斜面でも良い。
【００６７】
図３（Ｂ）を参照して、第１緩和部２４と第２緩和部２６の突出する方向を同一（例えばＤｔ方向）にしても良い。
【００６８】
図４（Ａ）を参照して、第１緩和部分２４Ａと第２緩和部分２４Ｂとは必ずしも平行である必要はなく、第１緩和部分２４Ａに対して第２緩和部分２４Ｂが傾斜して形成されても良い。
【００６９】
図４（Ａ）を参照して、３つ以上の離間された緩和部分で第１緩和部２４を構成しても良い。この場合でも、全ての緩和部分の変形が弾性限度内と成るように、各緩和部分の寸法が設定される。
【００７０】
図５を参照して、固定端部２１と固定部２０とが連続する箇所に曲面部２８を設けても良い。これにより、固定端部２１と固定部２０とが連続する部分が厚くなり、衝撃エネルギーが作用した際に、両者が連続する部分にクラックが入ることが回避される。
【００７１】
更に、図５を参照して、固定端部２１の厚みＬ１５を変化させることで、固定端部２１の撓みを調整しても良い。例えば、固定端部２１の厚みＬ１５を、第２緩和部２６が当接部４４に衝突して湾曲した後に、固定端部２１が湾曲して衝撃エネルギーを吸収することを可能とする厚さに設定しても良い。
【符号の説明】
【００７２】
１０   光ピックアップ支持装置
１１   挿通部
１２   シャーシ
１３   係合部
１４   第１ガイド軸
１６   第２ガイド軸
１８   ギアラック
１９   モータ支持部材
２０   固定部
２１   固定端部
２２   接触部
２４   第１緩和部
２４Ａ 第１緩和部分
２４Ｂ 第２緩和部分
２６   第２緩和部
２６Ａ 第１緩和部分
２６Ｂ 第２緩和部分
３０   光ピックアップ装置
３２   対物レンズ
３８   リードスクリュー
４０   スレッドモータ
４２   当接部
４４   当接部
６２   ターンテーブル
【図１】
2013206478.tif 000003
【図２】
2013206478.tif 000004
【図３】
2013206478.tif 000005
【図４】
2013206478.tif 000006
【図５】
2013206478.tif 000007